(57)【特許請求の範囲】
【請求項１】
反応性液体の発熱反応によって輸液流体または輸血流体を温めるための装置であって，
前記反応性液体と反応して結晶化をもたらすトリガを含む，反応チャンバと，
前記輸液流体または前記輸血流体が通過して移動するための，前記反応チャンバを通じて延在する通路と，
前記反応性液体を含む二次チャンバであって，前記二次チャンバは，前記反応チャンバの端部に配置され，前記反応チャンバおよび前記二次チャンバの間を繋ぐ入口ポートを備えているものと，
前記入口ポートの近傍に設けられ，破壊または取り外すことのできるバリアであって，前記反応性液体が，前記バリアの破壊または取外しによって，前記反応チャンバ内に導入されるものと，を含み，
前記バリアを破壊または取り外した状態において，前記二次チャンバは，圧縮可能であり，前記装置は，少なくとも前記二次チャンバを圧縮し，これにより前記反応性液体を前記反応チャンバ内に押しやるための圧縮部材をさらに含み，
前記反応チャンバは，平面状であり，上部シートと下部シートを備え，
前記反応チャンバは，前記反応性液体が導入されたときに封筒形状に広がることが可能であり，
前記上部シートおよび前記下部シートは，前記反応チャンバが広がったときに互いに平面的に離間し，
前記上部シートと前記下部シートの両方またはいずれか一方は，前記反応チャンバが広がった形状をとったときに前記通路から離間し，前記反応性液体が前記反応チャンバ全体に迅速に広がるのを促進し，これにより，前記反応性液体と前記トリガとが混合され，
前記通路，前記反応チャンバ，および前記二次チャンバのすべてが可塑性であり，これらは前記発熱反応が完了する前に巻き付けることが可能である，
装置。
【請求項２】
請求項１に記載の装置であって，前記圧縮部材が，前記バリアとは反対側の，前記二次チャンバの側部に配置された略剛性ロッドである，装置。
【請求項３】
請求項２に記載の装置であって，前記バリアが取り外されたときに，前記二次チャンバを圧縮するために前記可撓性の二次チャンバが前記ロッドの周囲に巻き付けられ，これにより前記反応性液体が前記反応チャンバに押しやられる，装置。
【請求項４】
請求項２または３に記載の装置であって，前記可撓性の反応チャンバが，前記ロッドの周囲に巻き付けられ，これにより前記反応性液体が前記反応チャンバの前記二次チャンバ側の端部から反対側の端まで押しやられる，装置。
【請求項５】
請求項１から４のいずれか一項に記載の装置であって，前記バリアが，前記反応チャンバおよび前記二次チャンバの間から取り除かれることによって，前記圧縮部材による前記二次チャンバの圧縮が可能になり，これにより前記反応性液体が前記反応チャンバ内に導入される，装置。
【請求項６】
請求項１から５のいずれか一項に記載の装置であって，前記反応チャンバを通じて延在する前記通路が，全体的に平面な蛇行構造を備える，装置。
【請求項７】
請求項１から６のいずれか一項に記載の装置であって，前記反応チャンバ内で前記発熱反応を開始させるための前記トリガが，前記バリアから離れた位置に配置される，装置。
【請求項８】
請求項１から７のいずれか一項に記載の装置であって，前記トリガが，前記反応チャンバの全体にわたって配置される，装置。
【請求項９】
前記トリガは固体である，請求項１から８のいずれか一項に記載の装置。
【請求項１０】
前記トリガは，結晶，粉末または微粒子からなる群から選択される，請求項９に記載された装置。
【請求項１１】
前記トリガは，前記反応チャンバの前記上部シートと前記下部シートの両方またはいずれか一方の内面に取り付けられている，請求項９または１０に記載された装置。
【請求項１２】
前記二次チャンバおよび前記反応チャンバは，前記圧縮部材の周囲に巻き付けられることでコンパクトにまとまった状態を形成し，前記装置は，前記コンパクトにまとまった状態を保持するための保持手段をさらに備える，請求項１から１１のいずれか一項に記載された装置。
【請求項１３】
前記二次チャンバおよび前記反応チャンバは，前記圧縮部材の周囲に巻き付けられることでコンパクトにまとまった状態を形成し，前記発熱反応によって，前記反応性液体が，前記反応チャンバが前記コンパクトにまとまった状態を保てる程度に固化する，請求項１から１１のいずれか一項に記載された装置。
【請求項１４】
前記入口ポートは，前記反応性液体の流れる方向を横切る方向に延在する，請求項１から１３のいずれか一項に記載された装置。
【発明の詳細な説明】
【技術分野】
【０００１】
本発明は，コンパクトな自己完結型の流体加熱装置に関する。具体的には，本発明は，遠隔地において使用することのできる，血液などの流体を加熱するための装置に関する。
【背景技術】
【０００２】
輸血用の血液は，一般に，約４℃で保管される。患者への輸血の前に，血液は，生体の温度と実質的に同じ温度，すなわち，約３７℃に温められることが好ましい。輸血前に血液を温め損なうと，患者の核心温度が，低体温につながるおそれのある危険なレベルまで低下する可能性がある。
【０００３】
現在，数多くの携帯型血液加温装置が，病院において使用されている。これらの携帯型血液加温装置は，一般に，主電源から電力を引き出す大きくて扱いにくい装置である。ある装置は，血液が，その温度が設定温度に維持されている水槽内に沈められた螺旋状の管に供給される。他の周知の装置は，血液バッグの周囲に巻き付けられる加熱ジャケット（ｈｅａｔｅｄ  ｊａｃｋｅｔ）を使用しており，主電源から電力を引いている。
【０００４】
これらのタイプの装置は，一定の電源が確保できる病院または臨床現場では満足のいくものであるが，信頼性の高い電源から遠く離れた場所，または，患者が病室または地理的な位置を移動する場合などに，上記のような大きくて扱いにくい機器を持ち運ぶことが実用的でない遠隔地においては，使用するに不便である。
【０００５】
また，血液を温めるための携帯型装置が知られており，例えばＴＨＥＲＭＡＬ  ＡＮＧＥＬおよびＨＯＴＩＶという商標で販売されている装置が知られている。これらの既存の装置は，いずれも，輸液流体または輸血流体を加熱するための電源を供給するバッテリーに依存する。しかしながら，バッテリーには，バッテリーが重くてかさ張るものであり，しかも定期的に交換または再充電を行う必要があることを含めて，多くの問題がある。加熱機器がバッテリーにかなりの負荷を掛けることを考慮すれば，これらのバッテリーを小さくすることは不可能である。さらに，バッテリーに関連する保守の問題がある。例えば携帯型の血液加温器が緊急車両内で使用される場合，電源が常に利用可能であるように，バッテリーの状態の定期的な確認を行うことが必要であり，または，予備のバッテリーが確かに利用可能であることが必要である。さらに，血液加温器を動作させるために必要な分のバッテリーは，器具の全重量を著しく増加させ，したがって，救助隊員が遠隔地に徒歩で赴く必要がある場合に，救助隊員にさらなる負担を掛けるおそれがあり，また，ユニットが電源に関連する問題により動作しない場合に，問題を複雑にするおそれがある。また，加温装置は，薬剤および生理食塩流体などの輸液流体を加熱するためにも使用することができる。
【０００６】
また，必要な熱を生成するために化学過程を利用する，輸血流体および輸液流体を温めるための携帯型装置が，試されてきた。このような試みの開示は，米国特許第５０４２４５５号明細書，米国特許第４９３４３３６号明細書，国際公開第２００３０５９４１４号パンフレット，国際公開第２００８０１７４５６号パンフレット，および，本発明者の以前の出願による国際公開第２００６０５６０１５号パンフレットに見出すことができる。
【０００７】
従来技術に開示された，必要な熱を生成するために化学反応を利用することの１つの潜在的な問題は，化学反応によって生成される熱を制御し，および調節する（そうしないと，化学反応によって生成される熱は，温度があまりに高く上昇してしまったときに，血液流体または輸液流体を損なうおそれがある）という課題である。この問題を克服するために，本発明者らは，固化時に約４２℃（これは，損なわれ得るまで血液が耐えることのできる，おおよその最大温度である）の潜熱を放出する化学反応の利用に関して実験を行ってきた。本発明者らによって行われた実験の結果は，ＭｃＥｗｅｎ，Ｍ．Ｐ．  ａｎｄ  Ｄ．Ｒｏｘｂｙの「Ｃａｎ  ｌａｔｅｎｔ  ｈｅａｔ  ｓａｆｅｌｙ  ｗａｒｍ  ｂｌｏｏｄ？−ｉｎ  ｖｉｔｒｏ  ｔｅｓｔｉｎｇ  ｏｆ  ａ  ｐｏｒｔａｂｌｅ  ｐｒｏｔｏｔｙｐｅ  ｂｌｏｏｄ  ｗａｒｍｅｒ」（ＢＭＣ  Ｅｍｅｒｇ  Ｍｅｄ，２００７．７：ｐ．８）という開示において見出すことができる。
【先行技術文献】
【特許文献】
【０００８】
【特許文献１】米国特許第５０４２４５５号明細書
【特許文献２】米国特許第４９３４３３６号明細書
【特許文献３】国際公開第２００３０５９４１４号パンフレット
【特許文献４】国際公開第２００８０１７４５６号パンフレット
【特許文献５】国際公開第２００６０５６０１５号パンフレット
【非特許文献】
【０００９】
【非特許文献１】ＭｃＥｗｅｎ，Ｍ．Ｐ．  ａｎｄ  Ｄ．Ｒｏｘｂｙ  「Ｃａｎ  ｌａｔｅｎｔ  ｈｅａｔ  ｓａｆｅｌｙ  ｗａｒｍ  ｂｌｏｏｄ？−ｉｎ  ｖｉｔｒｏ  ｔｅｓｔｉｎｇ  ｏｆ  ａ  ｐｏｒｔａｂｌｅ  ｐｒｏｔｏｔｙｐｅ  ｂｌｏｏｄ  ｗａｒｍｅｒ」  ＢＭＣ  Ｅｍｅｒｇ  Ｍｅｄ，２００７．７：ｐ．８
【００１０】
本発明者らは，化学液体と反応して，必要な潜熱を放出する反応を起こす結晶を使用してきた。しかしながら，現時点で使用できる装置においてこのようなタイプの化学試薬を使用することの難点は，反応チャンバを通過する化学液体および結晶の流れが，あまりに遅い場合があることである。加えて，この流れは，反応チャンバ内の閉塞をもたらし得る試薬の結晶化によって，さらに阻害される。この結晶化が発生すると，装置は，生物学的な流体加温器が高速に動作すべきである（そうでなければ，特に緊急事態においては，患者の健康が危険にさらされるおそれがある）緊急事態において，理想的なものとなり得ない。
【発明の概要】
【発明が解決しようとする課題】
【００１１】
したがって，血液または他の流体を温めるための装置であって，携帯可能であり，軽量で，使い捨て可能であり，信頼性が高く，原価および製造に関して経済的であり，また，従来技術の不都合および欠点を克服するか，もしくは少なくとも十分に改善するか，または，少なくとも公衆に選択の機会を提供する装置が，望まれている。
【００１２】
本明細書中の従来技術に関する任意の議論は，単に，本発明に関して脈絡を提供するという目的の下に含まれているのであり，そのような従来技術が，周知であること，または，本願の優先日の前に存在していた，当該技術分野における共通一般知識の一部を形成していることの承認であるとは決して考えられるべきでないことが理解されるべきである。
【課題を解決するための手段】
【００１３】
本発明の一態様（ただし，必ずしも最も広義な態様ではない）によれば，反応性液体の発熱反応によって輸液流体または輸血流体を温めるための装置であって，トリガ（ｔｒｉｇｇｅｒ）を含む少なくとも１つの反応チャンバと，輸液流体または輸血流体が通過して移動するための，反応チャンバを通じて延在する通路とを含み，反応性液体は反応チャンバ内に導入され，反応チャンバは少なくとも部分的に排気され，これにより，発熱反応を開始する，装置が提案される。
【００１４】
反応チャンバは，負圧（ｎｅｇａｔｉｖｅ  ａｔｍｏｓｐｈｅｒｉｃ  ｐｒｅｓｓｕｒｅ）の状態に維持されてもよい。あるいは，反応チャンバは，広げることができるものであってもよく，これによって，広げられるときに反応チャンバの中が負圧の状態になるものであってもよい。例えば，反応チャンバは，蛇腹式に（ｉｎ  ａ  ｃｏｎｃｅｒｔｉｎａ  ｔｙｐｅ  ｆａｓｈｉｏｎ）折り畳まれてもよい。
【００１５】
トリガは，反応性液体と反応して，その結晶化をもたらす触媒または別の化学物質であってもよい。一形態では，トリガは化学的トリガであり，別の形態では，トリガは機械的トリガである。
【００１６】
発熱反応を開始させるためのトリガは，結晶であってもよいし，または，別の選択肢として，トリガは，発熱反応を開始させる粉末または他の微粒子であってもよい。
【００１７】
反応チャンバを通じて延在する通路は，輸液流体または輸血流体のコンタミネーションを抑えるために，反応チャンバの中から離間されている。輸液流体または輸血流体が通過して移動するための，反応チャンバを通じて延在する通路は，ある長さの可撓性の管であってもよい。
【００１８】
トリガは，反応チャンバ内に含まれており，反応性液体は，二次チャンバ内に含まれており，反応チャンバおよび二次チャンバは，壊すことのできるまたは取り外すことのできるバリアによって分離されていることが好ましい。
【００１９】
反応チャンバおよび二次チャンバは，可撓性であってもよい。この場合，二次チャンバは，壊すことのできるバリアを破壊するために圧縮され，これにより反応性液体を反応チャンバ内に導入してもよい。
【００２０】
別の形態では，バリアは，反応チャンバと二次チャンバとを分離するクランプである。この場合，クランプが取り外されたときに，反応性液体が，反応チャンバ内に導入し得るか，または，反応チャンバ内に押しやられ得る。
【００２１】
本発明者らは，少なくとも部分的に排気されており，かつ，反応性液体を誘導して結晶化させる結晶物質，微粒物質または任意な他の手段などのトリガを含む反応チャンバ内に，反応性液体を導入することによって，反応が加速され得ることを発見した。結晶化を開始させるか，または，これを促進するトリガに対する反応性液体の急速な移動は，成長する結晶（固化）が，閉塞を起こすおそれのある反応チャンバの一部に局在することなく，反応性液体の全体にわたって発生し，広がることを可能にする。
【００２２】
さらに，反応チャンバ内で置き換えられる液体または気体が最小限である場合に，液体化学物質は比較的急速に流れることができることが分かった。この急速な流れは，１つの領域で局在化しないように，成長する結晶を分裂させ，除去し，または破壊する。１つの領域は，通常は，反応性液体が結晶化過程を開始させるトリガと最初に接触し，このときに閉塞または制限を起こす，入口ポートの近くであり得る。この結果，このことは，すべての反応性液体が，チャンバに進入するのを遅延させるか，または，阻害し，したがって，完全な化学反応が起こるのを遅延させるか，または，阻害する。
【００２３】
結晶化液体化学物質の急速な流れは，化学物質が狭い開口または長い距離を通過することを回避することによって，さらに強められてもよい。したがって，一形態では，流体加温器は，反応性液体が二次チャンバのあらゆる点から反応チャンバのあらゆる点まで移動する際の平均距離が，流体通路の全長の半分を超えないように，および，１０平方ミリメートルよりも大きな開口が反応チャンバ内の化学物質の移動のために設けられるように，構成される。
【００２４】
結晶化液体化学物質の急速な流れは，入口ポート，および，反応チャンバを通じる主要な液体化学物質の経路または複数の経路の双方から離して，反応チャンバ内にトリガを配置することによって，さらに強められてもよい。これらの領域をトリガのない状態にしておくことによって，結晶が，これらの領域において成長して液体化学物質の移動を遮断し，または遅延させる傾向性を，弱めることができる。
【００２５】
このように，本発明の一態様によれば，反応性液体の発熱反応によって輸液流体または輸血流体を温めるための，携帯型の使い捨て可能な装置であって，
少なくとも部分的に排気されている可撓性の反応チャンバであって，トリガを含む可撓性の反応チャンバと，
輸液流体または輸血流体が通過して移動するための，反応チャンバを通じて延在する通路と，
反応性液体を含む可撓性の二次チャンバであって，反応チャンバおよび二次チャンバが，壊すことのできるまたは取り外すことのできるバリアによって分離されており，反応性液体が，バリアを破壊するか，または，取り外すことによって，反応チャンバ内に導入され，これにより，発熱反応が開始される二次チャンバと，
反応性液体を二次チャンバから反応チャンバへと押しやるための圧縮部材とを含む装置が提供される。
【００２６】
トリガは，反応チャンバ内の反応性液体の流れを補助するために，反応チャンバ内の負圧において保持されることが好ましい。
【００２７】
一形態では，バリアが，発熱反応を開始するために取り外されるとき，バリアの取外しによって，反応チャンバと二次チャンバとは，単一のチャンバを形成するようになる。
【００２８】
圧縮部材は，反応性液体を，反応チャンバへと押しやり，輸液流体または輸血流体を運ぶ通路の傍または周囲を通過させるために使用される。
【００２９】
反応性液体を移動させるための手段は，可撓性の反応チャンバおよび／または二次チャンバの手動操作を含んでもよい。
【００３０】
一形態では，反応チャンバは，弾性的に可撓性の材料から構成された全体的に平面な封筒（ｅｎｖｅｌｏｐｅ）内に形成されてもよい。管の一部が，封筒内に含まれており，該管は，流体が通過するための，封筒内から外へ延出している入口および出口を有する。封筒は，反応チャンバが少なくとも部分的に排気されるような仕方で，気密封止されることが好ましい。
【００３１】
封筒は，少なくとも１つのポートを用いて二次チャンバと接続されてもよく，一形態では，複数のポートによって接続されてもよい。
【００３２】
弾性的で可撓性のブラダ（ｂｌａｄｄｅｒ）が，二次チャンバを形成してもよい。この場合，圧縮部材は，ポートとは反対側の，ブラダの側部に沿って延在していてもよい。一形態における圧縮部材は，略剛性ロッドであり，この場合，反応チャンバおよび二次チャンバの間のバリアの取外し後に，二次チャンバ内に含まれている反応性液体が反応チャンバ内に押しやられ，これにより発熱反応が起こるように，ロッドが連続的にブラダ上に折り重ねられてもよいし，または，二次チャンバがロッドの周囲に巻き付けられてもよい。
【００３３】
反応チャンバの全体にわたって反応性液体を移動させるために，ほぼ空のブラダが，連続的に可撓性の封筒上に折り重ねられてもよいし，または，可撓性の封筒が，ロッドの周囲に巻き付けられてもよい。本装置の層化または巻き付けによって，周囲空気と直接接触する表面積が減少し，したがって，そこからの放射性，対流性，および伝導性の熱損失が抑えられる。さらに，本装置の折り重ねまたは巻き付けによって，結晶が反応チャンバ内にバリアを形成すること（このことは，反応性液体が反応チャンバの末端まで移動することを阻害する場合がある）が抑制される。
【００３４】
あるいは，反応チャンバは，一形態では折り畳めるフレームを含む折り畳める容器またはボックス内に形成されてもよい。
【００３５】
反応性液体は，所望の温度の発熱反応を発生させ，所望の量の熱エネルギーを放出する，任意の化学物質または化学物質の混合物であってもよい。
【００３６】
反応性の液体化学物質は，硝酸カルシウム四水和物であってもよい。発熱反応を開始させるためのトリガは，硝酸カルシウム四水和物の結晶であってもよい。
【００３７】
反応チャンバを通じて延在する管は，管内で温められる輸液流体または輸血流体への，発熱反応に基づく熱伝達を最大化する，任意の適切な構造を有してもよい。
【００３８】
反応チャンバを通じる管構造は，真っ直ぐではなく，一形態では，全体的に平面な蛇行構成であることが好ましい。
【００３９】
あるいは，管構造は，ばね状またはコイル状の構成であってもよいし，または，層状の蛇行構成であってもよい。
【００４０】
反応チャンバ内で発熱反応を開始させるためのトリガは，反応チャンバと二次チャンバとの間のバリアの近傍に配置されてもよい。
【００４１】
反応チャンバは，発熱反応または熱の移動を補助する手段を含んでもよい。例えば，金属片が，熱を管に伝導するために反応チャンバ内に含まれてもよい。さらに，結晶，粉末，または微粒子が，チャンバ内の全体的で継続的な反応を補助するために，反応チャンバの全体にわたって配置されてもよい。一形態では，結晶，粉末，または微粒子は，反応チャンバの内壁，または，反応チャンバに隣接する通路の壁に付着されてもよい。
【００４２】
本発明の別の態様では，反応性液体の発熱反応によって輸液流体または輸血流体を温めるための装置であって，結晶化トリガを含む反応チャンバと，反応性液体を含む二次チャンバと，輸液流体または輸血流体が通過して移動するための，反応チャンバおよび二次チャンバの双方を通じて延在する通路とを含み，反応チャンバを通じる通路の一部が，圧縮された状態になっており，取り外し可能なバリアが，２つのチャンバ間にあり，これにより，バリアの取外しによって，結晶化トリガが反応性液体と接触し，圧縮された通路の伸長が可能になり，この結果，結晶化反応が，反応チャンバ内に広がる装置が提案される。
【００４３】
本発明のさらなる態様は，患者に投与される輸液流体または輸血流体を温めるための方法であって，加温装置の反応チャンバおよび二次チャンバの間のバリアを取り外すステップであって，少なくとも部分的に排気されている反応チャンバが，トリガを含み，二次チャンバが，反応性液体を含み，これにより，バリアの取外しによって反応性液体の発熱反応が開始されるステップと，反応チャンバを横断している通路を通過させて，輸液流体または輸血流体を移動させるステップであって，反応性液体によって放出される潜熱が，通路を通過する流体を温めるステップとを含む方法にある。
【００４４】
本明細書に組み込まれ，本明細書の一部を構成している添付図面は，本発明の実施態様を示しており，記載内容および特許請求の範囲と共に，本発明の利点および原理を説明する機能を果たしている。
【図面の簡単な説明】
【００４５】
【図１】本発明の携帯型流体加温器の第１の実施形態の斜視図である。
【図２】図１の携帯型流体加温器の側面図である。
【図３】クランプが取り外された状態の，図１の携帯型流体加温器の斜視図である。
【図４】巻き付け工程中の図３の携帯型流体加温器の，ＡＡにおける断面図である。
【図５】反応チャンバ内におけるトリガの配置を示している，図１の携帯型流体加温器の斜視図である。
【図６】反応チャンバ内におけるトリガの代替的な配置を示している，図１の携帯型流体加温器の斜視図である。
【図７】全体的にコイル状の構造を有する，輸液流体または輸血流体を運ぶ管の代替的な実施形態の斜視図である。
【図８】全体的に層化された蛇行構造を有し，かつ，折り畳めるフレームに取り付けられた管の他の代替的な実施形態の斜視図である。
【発明を実施するための形態】
【００４６】
本発明の詳細な説明のために図面を参照すると，本発明の原理が採用され得る構成を具体的に例示している流体加熱装置が示されている。図１は，発熱反応を含むための反応チャンバ１１を含む，本発明の装置１０の実施形態を示している。この反応チャンバは，平面的な蛇行構成をとった管１２をさらに含み，この管１２を通過して温められる輸液流体または輸血流体は，入口１４と出口１３との間を通過することができる。図２に示されているように，反応チャンバ１１は，全体的に封筒形状の構造を有する。
【００４７】
反応チャンバ１１は，発熱反応に必要とされる反応性液体化合物を含む二次チャンバ１５と接続されている。使用の前に，二次チャンバ１５内の反応性液体が，反応チャンバに進入することは不可能である。なぜなら，２つのチャンバは，バリアとして機能するクランプ２１によって分離されているからである。なお，クランプ２１は，Ｃ字状断面の硬質プラスチック（ｒｉｇｉｄ  ｐｌａｓｔｉｃ  Ｃ  ｓｅｃｔｉｏｎ）１７および可撓性のゴム挿入具１８を備える。
【００４８】
使用の際，Ｃ字状断面の硬質プラスチック１７および可撓性のゴム挿入具１８は，図３に示されているように，取り外される。これにより，反応性液体が，入口ポート１６を通過して反応チャンバ１１内に導入することが可能になる。反応性液体は，反応チャンバ１１内に導入されると，発熱反応を開始させるトリガと接触する。クランプ２１が取り外されたときに，チャンバ１１の全体にわたるより完全な発熱反応を確実にするために，二次チャンバ１５は，図４に示されているように，矢印２２の方向に向かってピン１９の周囲に巻き付けられてもよい。これにより，反応性液体は，矢印２３によって示されているように，反応チャンバ１１の縦方向に沿って押し進められる。
【００４９】
チャンバを巻き付ける機械的動作によって，反応性液体とトリガとの混合が改善される。これにより，反応性液体の広範囲に及ぶ結晶化が可能になり，その結果として，管１２を通過する液体を温める熱のより速い放出が可能になる。反応性液体が反応チャンバを満たしたときに，反応チャンバは，コンパクトなまとまりを形成するために，二次チャンバの周囲に巻き付けられてもよく，この場合，コンパクトなまとまりは，接着テープまたは面ファスナー（ｈｏｏｋ  ａｎｄ  ｌｏｏｐ  ｆａｓｔｅｎｅｒ）などの適切な手段によって固定されてもよい。管１２のコンパクトな配置によって，反応性液体が二次チャンバ１５のあらゆる点から反応チャンバ１１のあらゆる点まで移動する際の平均距離２４を，比較的小さくすることが可能になる。
【００５０】
トリガは，図５に示されているように，入口ポート１６の隣に配置される結晶２５であってもよい。これにより，反応性液体が，矢印２３の方向に向かって結晶２５を通過するため，クランプ２１が取り外されるとすぐに結晶化が開始される。
【００５１】
結晶化液体化学物質の急速な流れは，図６に示されているように，反応チャンバ内のトリガを両方の入口ポート１６から離して配置することによって，反応チャンバ１１内の１つの液体経路または複数の液体経路２６を形成することで，さらに強められてもよい。入口ポート１６をトリガのない状態にしておくことによって，結晶が，成長してチャンバ内への液体化学物質の移動を遮断し，または遅延させる傾向性を弱めることができる。一方，経路２６を設けることによって，反応チャンバ１１内の結晶化が制御される。
【００５２】
図７は，本発明の別の実施形態を示している。この実施形態では，圧縮可能な螺旋コイル構成の管１２が示されている。この実施形態では，反応チャンバ１１の形態は，円筒２７であってもよい。円筒２７は，使用の際に反応チャンバ１１を広げることができるように折り畳まれる側壁であって，チャンバ１１内から部分的に排気をし，かつ閉塞した場合の反応チャンバの物理的操作を可能にするために反応チャンバ１１の圧縮および伸長を可能にする側壁を有してもよい。
【００５３】
図８は，本発明のさらなる実施形態を示している。この実施形態では，圧縮可能な層状の蛇行構成の管１２が示されている。この実施形態では，反応チャンバ１１の形態は，ボックス２８であってもよい。同様に，ボックス２８は，チャンバが部分的に排気され，かつ反応チャンバの物理的操作を可能にするために反応チャンバの圧縮および伸長を可能にする，折り畳まれる側壁およびフレーム２９を有してもよい。
【００５４】
したがって，上記の記載は，輸液流体または輸血流体を制御しながら温めるために温度上昇をもたらす比較的安価な材料および化学物質を利用した流体加温装置の使用を提供する。本器具は低費用かつ単純であるため，本器具は，緊急事態における使用，または，ユニットが，電力供給に関する問題について懸念する必要なく，かなりの長時間にわたって保管される可能性のある場面での使用に非常に適している。本流体加温装置は，軽量であるため，複数の流体加温装置を，遠隔地に赴く救助隊によって使用されることの多い屋外用緊急医療キットに詰めて持ち運ぶことができる。
【００５５】
本明細書では，本発明は，最も実際的で好ましい実施形態であると考えられるものに関して，示され，説明されてきた。しかしながら，これらの特定の構成が単なる例示であり，本発明はこれらに限定されないことが理解されるべきである。したがって，本発明は，本発明の精神および範囲に含まれる様々な修正例を含むことができる。
【図１】
0005883878.tif 000002
【図２】
0005883878.tif 000003
【図３】
0005883878.tif 000004
【図４】
0005883878.tif 000005
【図５】
0005883878.tif 000006
【図６】
0005883878.tif 000007
【図７】
0005883878.tif 000008
【図８】
0005883878.tif 000009